(57)【要約】【課題】感光体ドラムの径の大きさに関わらず、簡易な構成によってヒーターを感光体ドラムに内装する。【解決手段】本発明に係るドラムユニット２０は、回転軸Ｘの周りを回転する感光体ドラム８と、感光体ドラム８に内装され、感光体ドラム８を加熱するヒーター２２と、を備え、ヒーター２２は、回転軸方向に沿って延びているヒーター基板４４と、回転軸方向に並んでおり、ヒーター基板４４に搭載される複数の抵抗素子４５と、を備えていることを特徴とする。【選択図】図３
2018194727.tif 000002
【特許請求の範囲】
【請求項１】
回転軸の周りを回転する感光体ドラムと、
前記感光体ドラムに内装され、前記感光体ドラムを加熱するヒーターと、を備え、
前記ヒーターは、
前記回転軸方向に沿って延びているヒーター基板と、
前記回転軸方向に並んでおり、前記ヒーター基板に搭載される複数の抵抗素子と、を備えていることを特徴とするドラムユニット。
【請求項２】
前記感光体ドラムの前記回転軸方向外側の端部に装着されるフランジと、
前記回転軸方向に沿って延びており、前記フランジを貫通する支持部材と、を更に備え、
前記ヒーターは、前記支持部材によって支持されていることを特徴とする請求項１に記載のドラムユニット。
【請求項３】
前記感光体ドラムの外部に配置されるコネクターと、
前記ヒーターと前記コネクターを接続する電線と、を更に備え、
前記支持部材は、パイプ状を成しており、
前記電線は、前記支持部材の内部を通過していることを特徴とする請求項２に記載のドラムユニット。
【請求項４】
前記支持部材の前記回転軸方向外側の端部に装着されるキャップを更に備え、
前記支持部材は、前記回転軸方向に沿って延びているスリットを有し、
前記電線は、前記キャップの前記回転軸方向内側において前記スリットを通過することで、前記支持部材の外部に引き出されていることを特徴とする請求項３に記載のドラムユニット。
【請求項５】
前記ヒーターは、前記支持部材によって片持ち状態で支持されていることを特徴とする請求項２〜４のいずれか１項に記載のドラムユニット。
【請求項６】
前記支持部材を支持するフレームと、
前記支持部材と一体化される板金と、を更に備え、
前記板金は、前記フレームに固定されていることを特徴とする請求項２〜５のいずれか１項に記載のドラムユニット。
【請求項７】
前記感光体ドラムは、アモルファスシリコン感光体によって構成されていることを特徴とする請求項１〜６のいずれか１項に記載のドラムユニット。
【請求項８】
請求項１〜７のいずれか１項に記載のドラムユニットと、
前記ドラムユニットが装着される装置本体と、を備えていることを特徴とする画像形成装置。
【発明の詳細な説明】
【技術分野】
【０００１】
本発明は、感光体ドラムを備えたドラムユニットと、このドラムユニットを備えた画像形成装置と、に関する。
【背景技術】
【０００２】
従来、電子写真方式の画像形成装置は、帯電した感光体ドラムの表面に静電潜像を形成し、この静電潜像をトナーによって現像することで、トナー像を形成している。上記のように感光体ドラムの表面を帯電させると、感光体ドラムの表面に放電生成物が付着することがある。この放電生成物が水分を吸収すると、感光体ドラムの表面の電気抵抗が低下し、像流れと呼ばれる不具合が発生する恐れがある。
【０００３】
上記した像流れの発生を抑制するために、ヒーターによって感光体ドラムを加熱し、感光体ドラムの表面に付着した水分を蒸発させる構成が知られている。このような構成を採用する場合、感光体ドラムを集中的に加熱するためには、感光体ドラムにヒーターが内装されているのが好ましい。
【０００４】
例えば、特許文献１では、絶縁シート上に発熱コイルが配置されたドラムヒータが丸められて感光体ドラムの内部に挿入されている。感光体ドラムの両端にはフランジが圧入され、一端側のフランジにはドラムヒータへの電力供給の端子が取り付けられている。この端子に連結された電極板の周面には電極が常に接触し、感光体ドラムの回転中も電気的に連結されている。
【先行技術文献】
【特許文献】
【０００５】
【特許文献１】特開２００２−４０８７６号公報
【発明の概要】
【発明が解決しようとする課題】
【０００６】
特許文献１のドラムヒータは、部品点数が多く、構成が複雑であるため、その設置には大きなスペースを必要とする。そのため、感光体ドラムの径が小さい場合には、特許文献１のドラムヒータを感光体ドラムに内装するのは困難である。
【０００７】
そこで、本発明は、感光体ドラムの径の大きさに関わらず、簡易な構成によってヒーターを感光体ドラムに内装することを目的とする。
【課題を解決するための手段】
【０００８】
本発明に係るドラムユニットは、回転軸の周りを回転する感光体ドラムと、前記感光体ドラムに内装され、前記感光体ドラムを加熱するヒーターと、を備え、前記ヒーターは、前記回転軸方向に沿って延びているヒーター基板と、前記回転軸方向に並んでおり、前記ヒーター基板に搭載される複数の抵抗素子と、を備えていることを特徴とする。
【０００９】
前記ドラムユニットは、前記感光体ドラムの前記回転軸方向外側の端部に装着されるフランジと、前記回転軸方向に沿って延びており、前記フランジを貫通する支持部材と、を更に備え、前記ヒーターは、前記支持部材によって支持されていても良い。
【００１０】
前記ドラムユニットは、前記感光体ドラムの外部に配置されるコネクターと、前記ヒーターと前記コネクターを接続する電線と、を更に備え、前記支持部材は、パイプ状を成しており、前記電線は、前記支持部材の内部を通過していても良い。
【００１１】
前記ドラムユニットは、前記支持部材の前記回転軸方向外側の端部に装着されるキャップを更に備え、前記支持部材は、前記回転軸方向に沿って延びているスリットを有し、前記電線は、前記キャップの前記回転軸方向内側において前記スリットを通過することで、前記支持部材の外部に引き出されていても良い。
【００１２】
前記ヒーターは、前記支持部材によって片持ち状態で支持されていても良い。
【００１３】
前記ドラムユニットは、前記支持部材を支持するフレームと、前記支持部材と一体化される板金と、を更に備え、前記板金は、前記フレームに固定されていても良い。
【００１４】
前記感光体ドラムは、アモルファスシリコン感光体によって構成されていても良い。
【００１５】
本発明に係る画像形成装置は、前記ドラムユニットと、前記ドラムユニットが装着される装置本体と、を備えていることを特徴とする。
【発明の効果】
【００１６】
本発明によれば、感光体ドラムの径の大きさに関わらず、簡易な構成によってヒーターを感光体ドラムに内装することが可能となる。
【図面の簡単な説明】
【００１７】
【図１】本発明の一実施形態に係る画像形成装置の概略を示す模式図である。
【図２】本発明の一実施形態に係るドラムユニットを示す斜視図である。
【図３】本発明の一実施形態に係るドラムユニットを示す断面図である。
【図４】本発明の一実施形態に係るヒーター及び一対の電線を示す斜視図である。
【図５】本発明の一実施形態に係るヒーターカバー、支持部材、キャップ、板金及び一対の電線を示す斜視図である。
【図６】本発明の一実施形態に係るヒーター、支持部材、板金及び一対の電線を示す斜視図である。
【図７】本発明の一実施形態に係る支持部材及びその周辺部を示す断面図である。
【図８】本発明の一実施形態に係るドラムユニットの前部を示す分解斜視図である。
【図９】本発明の一実施形態に係るドラムユニットの前部を示す斜視図である。
【発明を実施するための形態】
【００１８】
以下、図面を参照しつつ、本発明の一実施形態に係る画像形成装置１について説明する。各図に適宜付される矢印Ｆｒ、Ｒｒ、Ｌ、Ｒ、Ｕ、Ｌｏは、それぞれ、画像形成装置１の前側、後側、左側、右側、上側、下側を示している。
【００１９】
まず、画像形成装置１の全体の構成について説明する。画像形成装置１は、例えば、プリント機能、コピー機能及びファックス機能等を複合的に備えた複合機である。
【００２０】
図１に示されるように、画像形成装置１は、箱型の装置本体２を備えている。装置本体２の上端部には、原稿画像を読み取るための画像読取装置３が設けられている。装置本体２の上部には、画像読取装置３の下側に排紙トレイ４が設けられている。装置本体２の上部には、排紙トレイ４の下側に４個のトナーコンテナ５が設けられている。４個のトナーコンテナ５は、それぞれ、イエロー、マゼンタ、シアン、ブラックのトナーを収容している。
【００２１】
装置本体２の略中央部には、４個のトナーコンテナ５の下側に中間転写ベルト６が収容されている。装置本体２の略中央部には、中間転写ベルト６の下側に４個の画像形成部７が収容されている。４個の画像形成部７は、それぞれ、イエロー、マゼンタ、シアン、ブラックのトナーに対応している。各画像形成部７は、感光体ドラム８と、帯電装置９と、現像装置１０と、一次転写ローラー１１と、クリーニング装置１２と、を備えている。一次転写ローラー１１は、感光体ドラム８との間に中間転写ベルト６を挟み込んでおり、中間転写ベルト６と感光体ドラム８の間には一次転写ニップＮ１が形成されている。
【００２２】
装置本体２の下部には、４個の画像形成部７の下側に露光装置１３が収容されている。装置本体２の下端部には、露光装置１３の下側に給紙カセット１４が収容されている。給紙カセット１４には、用紙Ｓ（記録媒体）が収納されている。
【００２３】
装置本体２の右側部には、給紙カセット１４から排紙トレイ４に至る用紙Ｓの搬送経路Ｐが設けられている。搬送経路Ｐの上流部には、給紙部１５が設けられている。搬送経路Ｐの中流部には、二次転写ローラー１６が設けられている。二次転写ローラー１６と中間転写ベルト６の間には、二次転写ニップＮ２が形成されている。搬送経路Ｐの下流部には、定着装置１７が設けられている。
【００２４】
次に、このような構成を備えた画像形成装置１の動作について説明する。
【００２５】
画像形成装置１に対して印刷開始の指示がなされると、まず、帯電装置９が感光体ドラム８の表面を帯電させる。次に、露光装置１３からの光（図１の点線矢印参照）によって、感光体ドラム８の表面に静電潜像が形成される。次に、現像装置１０が感光体ドラム８にトナーを供給することで、感光体ドラム８の表面に形成された静電潜像が現像され、感光体ドラム８にトナー像が担持される。このトナー像は、一次転写ニップＮ１において中間転写ベルト６の表面に一次転写される。以上のような動作が各画像形成部７において行われることで、中間転写ベルト６上にフルカラーのトナー像が形成される。なお、感光体ドラム８上に残留したトナーは、クリーニング装置１２によって除去される。
【００２６】
また、給紙部１５によって給紙カセット１４から取り出された用紙Ｓは、搬送経路Ｐを下流側へと搬送されて、二次転写ニップＮ２に進入する。この二次転写ニップＮ２において、中間転写ベルト６上に形成されたフルカラーのトナー像が用紙Ｓに二次転写される。トナー像を二次転写された用紙Ｓは、搬送経路Ｐを更に下流側へと搬送されて、定着装置１７に進入する。この定着装置１７において、用紙Ｓにトナー像が定着される。トナー像が定着された用紙Ｓは、排紙トレイ４上に排出される。
【００２７】
本実施形態に係る画像形成装置１は、装置本体２に着脱可能に装着されるドラムユニット２０を備えている。以下、このドラムユニット２０について説明する。なお、図２以降の各図に適宜付される矢印Ｏはドラムユニット２０の前後方向外側を示し、図２以降の各図に適宜付される矢印Ｉはドラムユニット２０の前後方向内側を示している。
【００２８】
図２、図３を参照して、ドラムユニット２０は、ユニット本体２１と、ユニット本体２１内の上部に配置される感光体ドラム８と、感光体ドラム８の下側に配置される帯電装置９と、感光体ドラム８の右側に配置されるクリーニング装置１２と、感光体ドラム８に内装されるヒーター２２及びヒーターカバー２３と、感光体ドラム８の前端側に配置される前側フランジ２４、支持部材２５、キャップ２６及び板金２７と、感光体ドラム８の後端側に配置される後側フランジ２８と、ユニット本体２１の前端部に固定されるコネクター２９と、ユニット本体２１の前側を覆う本体カバー３０と、ヒーター２２とコネクター２９を接続する一対の電線３１と、を備えている。
【００２９】
ドラムユニット２０のユニット本体２１は、上面の一部及び左面が開放された箱型を成している。ユニット本体２１の前部には、フレーム３３が設けられている。フレーム３３の上部には、支持穴３４が設けられている。
【００３０】
ドラムユニット２０の感光体ドラム８は、円筒状を成しており、前後方向に沿って延びている。感光体ドラム８は、前後方向に沿って延びている回転軸Ｘの周りを回転可能に設けられている。つまり、本実施形態では、前後方向が感光体ドラム８の回転軸方向である。
【００３１】
感光体ドラム８の直径は、例えば、４０ｍｍ以下である。感光体ドラム８は、素管３６と、素管３６の外周を覆う感光層３７と、を備えている。素管３６は、例えば、アルミニウムやステンレス等の金属によって構成されている。感光層３７は、アモルファスシリコンによって構成されている。つまり、感光体ドラム８は、アモルファスシリコン感光体によって構成されている。
【００３２】
ドラムユニット２０の帯電装置９は、感光体ドラム８の下側に配置される帯電ローラー３９と、帯電ローラー３９の下側に配置されるクリーニングローラー４０と、を備えている。帯電ローラー３９及びクリーニングローラー４０は、前後方向に沿って延びている。帯電ローラー３９は、感光体ドラム８の外周面に接触しており、感光体ドラム８の回転に従動して回転し、感光体ドラム８の外周面を一様に帯電させるように構成されている。クリーニングローラー４０は、帯電ローラー３９の外周面に接触しており、帯電ローラー３９の回転に従動して回転し、帯電ローラー３９の外周面を清掃するように構成されている。
【００３３】
ドラムユニット２０のクリーニング装置１２は、ブレード４２を備えている。ブレード４２は、前後方向に沿って延びている。ブレード４２は、感光体ドラム８の外周面に接触しており、感光体ドラム８の回転に伴って感光体ドラム８の外周面を清掃するように構成されている。
【００３４】
図３、図４を参照して、ドラムユニット２０のヒーター２２は、ヒーター基板４４と、ヒーター基板４４に搭載される複数の抵抗素子４５と、を備えている。ヒーター基板４４は、平板状を成しており、前後方向に沿って延びている。複数の抵抗素子４５は、チップ抵抗によって構成されている。複数の抵抗素子４５は、前後方向に並んでいる。
【００３５】
図３、図５を参照して、ドラムユニット２０のヒーターカバー２３は、本体部４７と、本体部４７の後端部を閉止する閉止部４８と、を備えている。本体部４７は、回転軸Ｘを中心とする円筒状を成しており、前後方向に沿って延びている。本体部４７は、ヒーター２２の外周を覆っている。本体部４７には、ヒーターカバー２３の内部と外部を連通させる多数の連通穴４９が設けられている。多数の連通穴４９は、前後方向に長い形状を成している。多数の連通穴４９は、前後方向及び円周方向に間隔をおいて設けられている。閉止部４８は、ヒーター２２の後側を覆っている。
【００３６】
図３を参照して、ドラムユニット２０の前側フランジ２４は、回転軸Ｘを中心とする円環状を成している。前側フランジ２４の外周部は、感光体ドラム８の前端部（前後方向外側の端部）に装着されている。これにより、前側フランジ２４が感光体ドラム８と一体に回転可能となっている。前側フランジ２４の内周部には、貫通穴５０が設けられている。
【００３７】
ドラムユニット２０の支持部材２５は、回転軸Ｘを中心とするパイプ状を成しており、前後方向に沿って延びている。支持部材２５は、フレーム３３の支持穴３４を貫通している。これにより、支持部材２５がフレーム３３に支持されている。支持部材２５は、前側フランジ２４の貫通穴５０を貫通している。これにより、支持部材２５が前側フランジ２４を回転可能に支持している。
【００３８】
図６、図７を参照して、支持部材２５の外周面の後端部（前後方向内側の端部）には、円環状の嵌合溝５２が設けられている。嵌合溝５２には、ヒーターカバー２３の本体部４７の前端部（前後方向外側の端部）が嵌合している。これにより、支持部材２５がヒーターカバー２３を片持ち状態で支持している。支持部材２５の後端部（前後方向内側の端部）には、嵌合溝５２の左右両側に一対の割溝５３が設けられている。一対の割溝５３には、ヒーター２２のヒーター基板４４の前端部（前後方向外側の端部）が差し込まれている。これにより、支持部材２５がヒーター２２を片持ち状態で支持している。支持部材２５の前端部（前後方向外側の端部）には、前後方向に沿って延びているスリット５４が形成されている。
【００３９】
図７を参照して、ドラムユニット２０のキャップ２６は、支持部材２５の前端部（前後方向外側の端部）に装着されており、支持部材２５の前端部を閉止している。キャップ２６の一部は、支持部材２５に挿入されている。
【００４０】
図５〜図７を参照して、ドラムユニット２０の板金２７は、平板状を成している。板金２７は、前後方向と直交する平面に沿って設けられている。板金２７の左上部には固定穴５６が設けられており、この固定穴５６を支持部材２５が貫通している。板金２７は、固定穴５６の周囲においてカシメ又は溶接によって支持部材２５に固定されることで、支持部材２５と一体化されている。板金２７の右上部には、ピン５７が固定されている。図８、図９を参照して、板金２７は、複数のビス５８によってフレーム３３に固定されている。
【００４１】
図３を参照して、ドラムユニット２０の後側フランジ２８は、回転軸Ｘを中心とする円環状を成している。後側フランジ２８の外周部は、感光体ドラム８の後端部（前後方向外側の端部）に装着されている。これにより、後側フランジ２８が感光体ドラム８と一体に回転可能となっている。後側フランジ２８の内周部には連結穴６０が設けられており、この連結穴６０には、装置本体２に設けられた駆動ジョイント６１が挿入されている。これにより、後側フランジ２８と駆動ジョイント６１が連結されており、駆動ジョイント６１の回転に従動して後側フランジ２８、感光体ドラム８及び前側フランジ２４が回転軸Ｘの周りを回転するように構成されている。
【００４２】
ドラムユニット２０のコネクター２９は、感光体ドラム８の外部に配置されている。コネクター２９は、コネクター基板６３と、コネクター基板６３の後面に固定されるユニット側端子６４と、を備えている。ユニット側端子６４は、装置本体２に設けられた本体側端子６５に接続されている。
【００４３】
ドラムユニット２０の本体カバー３０の下部は、コネクター２９の前側を覆っている。本体カバー３０の上部は、板金２７の前側を覆っている。本体カバー３０の左上部には露出穴６７が設けられており、露出穴６７を支持部材２５が貫通している。これにより、支持部材２５の前端部とキャップ２６がドラムユニット２０の外部に露出している。
【００４４】
図４を参照して、ドラムユニット２０の一対の電線３１の一端部は、ヒーター２２のヒーター基板４４に接続されている。図７を参照して、一対の電線３１は、支持部材２５の内部を通過している。一対の電線３１は、キャップ２６の後側（前後方向内側）において支持部材２５のスリット５４を通過することで、支持部材２５の外部に引き出されている。図９を参照して、一対の電線３１の他端部は、コネクター２９のコネクター基板６３に接続されている。
【００４５】
次に、ドラムユニット２０の組み立て作業の一例について説明する。
【００４６】
ドラムユニット２０を組み立てる際には、まず、図６に矢印Ａで示されるように、作業者は、支持部材２５の一対の割溝５３にヒーター２２のヒーター基板４４の前端部を差し込む。これにより、ヒーター２２が支持部材２５に固定される。次に、図５に矢印Ｂで示されるように、作業者は、支持部材２５の嵌合溝５２にヒーターカバー２３の本体部４７の前端部を嵌合させる。これにより、ヒーターカバー２３が支持部材２５に固定される。次に、図５に矢印Ｃで示されるように、作業者は、支持部材２５の前端部にキャップ２６を装着する。
【００４７】
次に、図８に矢印Ｄで示されるように、作業者は、ヒーター２２及びヒーターカバー２３を感光体ドラム８に挿入しながら、フレーム３３の支持穴３４にシャフト２５を貫通させる。次に、図９に示されるように、作業者は、複数のビス５８によって板金２７をフレーム３３に固定する。次に、作業者は、一対の電線３１をコネクター２９のコネクター基板６３に接続する。次に、図２に示されるように、作業者は、ユニット本体２１に本体カバー３０を固定する。これにより、ドラムユニット２０の組み立て作業が完了する。
【００４８】
ところで、画像形成動作を実行する際に帯電ローラー３９によって感光体ドラム８の表面を帯電させると、感光体ドラム８の表面に放電生成物が付着することがある。この放電生成物が水分を吸収すると、感光体ドラム８の表面の電気抵抗が低下し、像流れと呼ばれる不具合が発生する恐れがある。
【００４９】
そこで、高湿環境等において画像形成装置１が使用される場合には、装置本体２に設けられた電源（図示せず）から本体側端子６５、コネクター２９及び一対の電線３１を介してヒーター２２に電力を供給する。このようにヒーター２２に電力が供給されると、ヒーター２２に設けられた複数の抵抗素子４５が発熱し、感光体ドラム８を加熱する。これにより、感光体ドラム８の表面に付着した水分を蒸発させることが可能となり、放電生成物が水分を吸収するのを抑制することができる。そのため、上記した像流れの発生を抑制することが可能となる。
【００５０】
ところで、上記のようにヒーター２２によって感光体ドラム８を加熱する場合、ヒーター２２を感光体ドラム８の外部に設置することも可能である。具体的には、給紙カセット１４内に設けられたヒーター２２を感光体ドラム８の加熱用のヒーター２２として兼用したり、ドラムユニット２０の帯電装置９の下側にヒーター２２を設置したりすることも可能である。
【００５１】
しかしながら、近年、定着装置１７におけるトナーの加熱温度を低下させて画像形成装置１の電力消費を抑制する観点から、トナーの低融点化が進んでいる。上記のようにヒーター２２を感光体ドラム８の外部に設置する構成を採用すると、感光体ドラム８だけでなく、感光体ドラム８の周囲に配置されている現像装置１０も加熱されてしまい、現像装置１０内に収容されている低融点のトナーに悪影響を及ぼす恐れがある。
【００５２】
そこで、本実施形態では、ヒーター２２を感光体ドラム８に内装している。このような構成を採用することで、現像装置１０が加熱されるのを抑制し、感光体ドラム８を集中的に加熱することが可能となる。そのため、低融点のトナーが使用されている場合であっても、トナーの熱劣化を抑制することが可能となる。
【００５３】
ところで、上記のようにヒーター２２を感光体ドラム８に内装する構成を採用する場合、発熱コイルを有するヒーター２２を丸めて感光体ドラム８の内部に挿入することも可能である。
【００５４】
しかしながら、近年、カラー画像を出力可能なタンデム方式の画像形成装置１が主流になってきており、これに伴って、感光体ドラム８の小径化が進んでいる。上記のように発熱コイルを有するヒーター２２を丸めて感光体ドラム８の内部に挿入する構成を採用すると、ヒーター２２の設置に大きなスペースが必要となるため、小径の感光体ドラム８（例えば、直径４０ｍｍ以下の感光体ドラム８）を使用する場合には、ヒーター２２を感光体ドラム８に内装できない恐れがある。
【００５５】
そこで、本実施形態では、前後方向に沿って延びているヒーター基板４４と、前後方向に並んでおり、ヒーター基板４４に搭載される複数の抵抗素子４５と、を備えたヒーター２２を感光体ドラム８に内装している。このような構成を採用することで、小径の感光体ドラム８にもヒーター２２を内装することが可能となる。
【００５６】
以上のように、本実施形態では、感光体ドラム８の径の大きさに関わらず、簡易な構成によってヒーター２２を感光体ドラム８に内装し、感光体ドラム８の周囲に配置された機構（例えば、現像装置１０）を不必要に加熱することなく、感光体ドラム８を集中的に加熱することが可能となっている。
【００５７】
また、ヒーター２２は、前側フランジ２４を貫通する支持部材２５によって支持されている。このような構成を採用することで、前側フランジ２４を回転可能に支持する支持部材２５をヒーター２２の支持部材２５として併用することが可能となり、簡易な構成によってヒーター２２を支持することができる。
【００５８】
また、支持部材２５は、パイプ状を成しており、一対の電線３１が支持部材２５の内部を通過している。このような構成を採用することで、支持部材２５を一対の電線３１のガイド部材として併用することが可能となり、簡易な構成によって一対の電線３１をガイドすることが可能となる。
【００５９】
また、一対の電線３１は、キャップ２６の後側（前後方向内側）において支持部材２５のスリット５４を通過することで、支持部材２５の外部に引き出されている。このような構成を採用することで、一対の電線３１が支持部材２５から不用意に脱落するのを抑制することが可能となる。
【００６０】
また、ヒーター２２は、支持部材２５によって片持ち状態で支持されている。このような構成を採用することで、感光体ドラム８の後端部周辺に形成された空間を、感光体ドラム８に駆動を入力するための部材（例えば、後側フランジ２８や駆動ジョイント６１）の配置スペースとして利用することが可能となる。
【００６１】
また、板金２７は、支持部材２５を支持するフレーム３３に固定されている。このような構成を採用することで、フレーム３３に対する支持部材２５の位置精度を高めることが可能となる。
【００６２】
また、感光体ドラム８は、アモルファスシリコン感光体によって構成されている。このような構成を採用することで、感光体ドラム８が有機感光体によって構成される場合と比較して、感光体ドラム８の摩耗を抑制し、感光体ドラム８の長寿命化を図ることができる。一方で、感光体ドラム８がアモルファスシリコン感光体によって構成される場合には、感光体ドラム８が有機感光体によって構成される場合と比較して、感光体ドラム８が削れにくいため、感光体ドラム８の表面に付着した水分が除去されにくく、像流れが発生しやすい。そこで、上記のようなヒーター２２を用いて感光体ドラム８を加熱し、像流れの発生を抑制するメリットが大きい。
【００６３】
また、画像形成装置１は、上記のドラムユニット２０と、ドラムユニット２０が装着される装置本体２と、を備えている。このような構成を採用することで、像流れの発生を抑制し、出力画像の高品質化を図ることが可能となる。
【００６４】
本実施形態では、１個の支持部材２５によってヒーター２２が片持ち状態で支持されている。一方で、他の異なる実施形態では、２個の支持部材２５によってヒーター２２が両側から支持されていても良い。
【００６５】
本実施形態では、直径４０ｍｍ以下の感光体ドラム８にヒーター２２が内装されている。一方で、他の異なる実施形態では、４０ｍｍを超える直径を有する感光体ドラム８にヒーター２２が内装されていても良い。
【００６６】
本実施形態では、画像形成装置１が複合機である。一方で、他の異なる実施形態では、画像形成装置１がプリンター、コピー機、ファクシミリ等であっても良い。
【符号の説明】
【００６７】
１  画像形成装置
２  装置本体
８  感光体ドラム
２０  ドラムユニット
２２  ヒーター
２４  前側フランジ
２５  支持部材
２６  キャップ
２７  板金
２９  コネクター
３１  電線
３３  フレーム
３７  感光層
４４  ヒーター基板
４５  抵抗素子
５４  スリット
Ｘ  回転軸
【図１】
2018194727.tif 000003
【図２】
2018194727.tif 000004
【図３】
2018194727.tif 000005
【図４】
2018194727.tif 000006
【図５】
2018194727.tif 000007
【図６】
2018194727.tif 000008
【図７】
2018194727.tif 000009
【図８】
2018194727.tif 000010
【図９】
2018194727.tif 000011